(57)【特許請求の範囲】
【請求項１】
第１セットのウェイト部と、第２セットのウェイト部とを有する複数のウェイト部であって、前記第１セットのウェイト部における各ウェイト部は、第１の質量と関連しており、前記第２セットのウェイト部における各ウェイト部は、前記第１の質量より小さい第２の質量と関連している、前記複数のウェイト部と、
フロント部と、リア部と、トウ部と、ヒール部と、トップ部と、外面カーブと関連している外面を持つボトム部と、前記ボトム部又はその近傍に配置されたウェイトポート領域とを有するボディ部であって、前記ウェイトポート領域は、各々のウェイトポートが前記複数のウェイト部のうちの少なくとも１つのウェイト部を受けるよう構成された複数のウェイトポートを前記ウェイトポート領域の周縁に沿って有する、前記ボディ部と、
を備えたゴルフクラブヘッドであって、
前記複数のウェイトポートは、実質的に同様な間隔で離されると共に前記トウ部の近傍の領域から前記ヒール部の近傍の領域に延びる第１の弧に形成された第１セットのウェイトポートと、実質的に同様な間隔で離されると共に前記トウ部と前記ヒール部の間に延びる第２の弧に形成された第２セットのウェイトポートとを含み、
前記第１の弧は、前記ウェイトポート領域のフロント側周縁に沿って延びており、前記第２の弧は、前記ウェイトポート領域のリア側周縁に沿って延びており、
前記複数のウェイトポートにおける各ウェイトポートは、ポート径と関連しており、
前記第１セットのウェイトポートにおける隣接する２つのウェイトポートは、前記第１セットのウェイトポートにおける前記隣接する２つのウェイトポートのうちのいずれかのウェイトポートのポート径より小さい距離で離されており、
前記第２セットのウェイトポートにおける隣接する２つのウェイトポートは、前記第２セットのウェイトポートにおける前記隣接する２つのウェイトポートのうちのいずれかのウェイトポートのポート径より小さい距離で離されていることを特徴とするゴルフクラブヘッド。
【請求項２】
請求項１に記載のゴルフクラブヘッドにおいて、
前記第１セットのウェイトポートにおけるウェイトポートの総数は、前記第２セットのウェイトポートにおけるウェイトポートの総数以上であることを特徴とするゴルフクラブヘッド。
【請求項３】
請求項１に記載のゴルフクラブヘッドにおいて、
前記第１の弧及び前記第２の弧は、前記ボトム部の周縁に沿って前記複数のウェイトポートのうちのいずれかのウェイトポートのポート径以上の距離で離されていることを特徴とするゴルフクラブヘッド。
【請求項４】
請求項１に記載のゴルフクラブヘッドにおいて、
前記第１セットのウェイト部における各ウェイト部は、第１の質量及び第１の物理的特性と関連しており、前記第２セットのウェイト部における各ウェイト部は、前記第１の質量より小さい第２の質量及び前記第１の物理的特性とは異なる第２の物理的特性と関連していることを特徴とするゴルフクラブヘッド。
【請求項５】
請求項１に記載のゴルフクラブヘッドにおいて、
前記ゴルフクラブヘッドは、４３０立方センチメートル未満の体積を有することを特徴とするゴルフクラブヘッド。
【請求項６】
請求項１に記載のゴルフクラブヘッドにおいて、
前記ゴルフクラブヘッドは、１００グラムから３５０グラムの範囲の質量を有することを特徴とするゴルフクラブヘッド。
【請求項７】
複数のウェイト部と、
フロント部と、リア部と、トウ部と、ヒール部と、トップ部と、外面カーブと関連している外面を持つボトム部と、前記ボトム部又はその近傍に配置されたウェイトポート領域とを有するボディ部であって、前記ウェイトポート領域は、各々のウェイトポートが前記複数のウェイト部のうちの少なくとも１つのウェイト部を受けるよう構成された複数のウェイトポートを前記ウェイトポート領域の周縁に沿って有する、前記ボディ部と、
を備えたゴルフクラブヘッドであって、
前記複数のウェイトポートは、前記トウ部の近傍の領域から前記フロントの近傍の近傍に延び且つ前記フロント部の近傍の領域から前記ヒール部の近傍の領域に延びる第１の弧に設けられた第１セットのウェイトポートと、前記リア部と実質的に同様な輪郭を有し且つ前記ボトム部を横断する第２の弧に設けられた第２セットのウェイトポートとを含み、
前記第１の弧は、前記ウェイトポート領域のフロント側周縁に沿って延びており、前記第２の弧は、前記ウェイトポート領域のリア側周縁に沿って延びており、
前記複数のウェイトポートにおける各ウェイトポートは、ポート径と関連しており、
前記第１セットのウェイトポートにおける隣接する２つのウェイトポートは、前記第１セットのウェイトポートにおける前記隣接する２つのウェイトポートのうちのいずれかのウェイトポートのポート径より小さい距離で離されており、
前記第２セットのウェイトポートにおける隣接する２つのウェイトポートは、前記第２セットのウェイトポートにおける前記隣接する２つのウェイトポートのうちのいずれかのウェイトポートのポート径より小さい距離で離されており、
前記複数のウェイトポートにおける前記ウェイトポートは、前記ボトム部を横断する前記トウ部と前記ヒール部との間の最大距離の５０％より多く設けられたウェイトポートを含むことを特徴とするゴルフクラブヘッド。
【請求項８】
請求項７に記載のゴルフクラブヘッドにおいて、
前記複数のウェイト部は、第１セットのウェイト部と、第２セットのウェイト部とを含み、前記第１セットのウェイト部における各ウェイト部は第１の質量及び前記第１セットのウェイトポートと関連しており、前記第２セットのウェイト部における各ウェイト部は第２の質量及び前記第２セットのウェイトポートと関連しており、
前記第１の質量は、前記第２の質量より大きいことを特徴とするゴルフクラブヘッド。
【請求項９】
請求項７に記載のゴルフクラブヘッドにおいて、
前記第１の弧及び前記第２の弧は、前記ボトム部の周縁に沿って前記複数のウェイトポートのうちのいずれかのウェイトポートのポート径以上の距離で離されていることを特徴とするゴルフクラブヘッド。
【請求項１０】
請求項７に記載のゴルフクラブヘッドにおいて、
前記第１セットのウェイトポートにおけるウェイトポートの総数は、前記第２セットのウェイトポートにおけるウェイトポートの総数以上であることを特徴とするゴルフクラブヘッド。
【請求項１１】
請求項７に記載のゴルフクラブヘッドにおいて、
前記複数のウェイト部は、第１セットのウェイト部と、第２セットのウェイト部とを含み、前記第１セットのウェイト部における各ウェイト部は、第１の質量及び第１の物理的特性と関連しており、前記第２セットのウェイト部における各ウェイト部は、前記第１の質量より小さい第２の質量及び前記第１の物理的特性とは異なる第２の物理的特性と関連していることを特徴とするゴルフクラブヘッド。
【請求項１２】
請求項７に記載のゴルフクラブヘッドにおいて、
前記ゴルフクラブヘッドは、４３０立方センチメートル未満の体積を有することを特徴とするゴルフクラブヘッド。
【請求項１３】
請求項７に記載のゴルフクラブヘッドにおいて、
前記ゴルフクラブヘッドは、１００グラムから３５０グラムの範囲の質量を有することを特徴とするゴルフクラブヘッド。
【請求項１４】
複数のウェイト部と、
フロント部と、リア部と、トウ部と、ヒール部と、トップ部と、外面カーブと関連している外面を持つボトム部と、前記ボトム部又はその近傍に配置されたウェイトポート領域とを有するボディ部であって、前記ウェイトポート領域は、各々のウェイトポートが前記複数のウェイト部のうちの少なくとも１つのウェイト部を受けるよう構成された複数のウェイトポートを前記ウェイトポート領域の周縁に沿って有する、前記ボディ部と、
を備えたフェアウェイウッド型ゴルフクラブヘッドであって、
前記複数のウェイトポートは、実質的に同様な間隔で離される第１セットのウェイトポートを含み、前記第１セットのウェイトポートは前記フロント部に関して凹状を成す略Ｃ字型の第１の弧において前記ヒール部の近傍の領域から前記トウ部の近傍の領域に設けられ、
前記複数のウェイトポートは、実質的に同様な間隔で離される第２セットのウェイトポートを含み、前記第２セットのウェイトポートは前記リア部に関して凹状を成す略Ｃ字型の第２の弧において前記ヒール部と前記トウ部との間に設けられ、
前記第１のＣ字型の弧は、前記ウェイトポート領域のフロント側周縁に沿って延びており、前記第２のＣ字型の弧は、前記ウェイトポート領域のリア側周縁に沿って延びており、
前記複数のウェイトポートにおける各ウェイトポートは、ポート径と関連しており、
前記第１セットのウェイトポートにおける隣接する２つのウェイトポートは、前記第１セットのウェイトポートにおける前記隣接する２つのウェイトポートのうちのいずれかのウェイトポートのポート径より小さい距離で離されており、
前記第２セットのウェイトポートにおける隣接する２つのウェイトポートは、前記第２セットのウェイトポートにおける前記隣接する２つのウェイトポートのうちのいずれかのウェイトポートのポート径より小さい距離で離されていることを特徴とするフェアウェイウッド型ゴルフクラブヘッド。
【請求項１５】
請求項１４に記載のフェアウェイウッド型ゴルフクラブヘッドにおいて、
前記第１のＣ字型の弧及び前記第２のＣ字型の弧は、前記ボトム部の周縁に沿って前記複数のウェイトポートのうちのいずれかのウェイトポートのポート径以上の距離で離されていることを特徴とするフェアウェイウッド型ゴルフクラブヘッド。
【請求項１６】
請求項１４に記載のフェアウェイウッド型ゴルフクラブヘッドにおいて、
前記複数のウェイト部は、第１セットのウェイト部と、第２セットのウェイト部とを含み、前記第１セットのウェイト部における各ウェイト部は第１の質量及び前記第１セットのウェイトポートと関連しており、前記第２セットのウェイト部における各ウェイト部は第２の質量及び前記第２セットのウェイトポートと関連しており、
前記第１の質量は、前記第２の質量より大きいことを特徴とするフェアウェイウッド型ゴルフクラブヘッド。
【請求項１７】
請求項１４に記載のフェアウェイウッド型ゴルフクラブヘッドにおいて、
前記複数のウェイト部は、第１セットのウェイト部と、第２セットのウェイト部とを含み、前記第１セットのウェイト部における各ウェイト部は、第１の質量及び第１の物理的特性と関連しており、前記第２セットのウェイト部における各ウェイト部は、前記第１の質量より小さい第２の質量及び前記第１の物理的特性とは異なる第２の物理的特性と関連していることを特徴とするフェアウェイウッド型ゴルフクラブヘッド。
【請求項１８】
請求項１４に記載のフェアウェイウッド型ゴルフクラブヘッドにおいて、
前記複数のウェイトポートにおける前記ウェイトポートは、前記ボトム部を横断する前記トウ部と前記ヒール部との間の最大距離の５０％より多く設けられたウェイトポートを含むことを特徴とするフェアウェイウッド型ゴルフクラブヘッド。
【請求項１９】
請求項１４に記載のフェアウェイウッド型ゴルフクラブヘッドにおいて、
前記ゴルフクラブヘッドは、４３０立方センチメートル未満の体積を有することを特徴とするフェアウェイウッド型ゴルフクラブヘッド。
【請求項２０】
請求項１４に記載のフェアウェイウッド型ゴルフクラブヘッドにおいて、
前記ゴルフクラブヘッドは、１００グラムから３５０グラムの範囲の質量を有することを特徴とするフェアウェイウッド型ゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、2014年8月26日に出願された米国仮出願第62/042,155号、2014年9月10日に出願された米国仮出願第62/048,693号、2015年1月9日に出願された米国仮出願62/101,543号、2015年1月19日に出願された米国仮出願第62/105,123号、及び、2015年1月29日に出願された米国仮出願62/109,510の利益を主張する、2015年2月6日に出願された米国非仮出願第14/615,606号の一部継続出願である。本出願はまた、2014年10月28日に出願された米国非仮出願29/507,474号の一部継続出願である、2015年1月29日に出願された米国非仮出願29/516,035号の一部継続出願である。参照出願の開示は、参照により本明細書に組み込まれる。
【０００３】
［技術分野］
本開示は、一般にスポーツ用品に関し、より具体的には、ゴルフクラブヘッド及びゴルフクラブヘッド製造方法に関する。
【背景技術】
【０００４】
ゴルフでは、種々の要因が、ゴルフボールの進む距離や方向に影響を与え得る。具体的には、ゴルフクラブヘッドの重心（ＣＧ）及び／又は慣性モーメント（ＭＯＩ）が、打ち出し角、スピンレート、及びインパクト時のゴルフボールの方向に影響を与え得る。このような要因が、ゴルフスイングのタイプによって大きく変化する。
【図面の簡単な説明】
【０００５】
【図１】図１は、本明細書に記載の器具、方法、及び製造物の一実施形態に関するゴルフクラブヘッドの上面斜視図である。
【０００６】
【図２】図２は、図１に例示したゴルフクラブヘッドの底面斜視図である。
【０００７】
【図３】図３は、図１に例示したゴルフクラブヘッドの平面図である。
【０００８】
【図４】図４は、図１に例示したゴルフクラブヘッドの底面図である。
【０００９】
【図５】図５は、図１に例示したゴルフクラブヘッドの正面図である。
【００１０】
【図６】図６は、図１に例示したゴルフクラブヘッドの背面図である。
【００１１】
【図７】図７は、図１に例示したゴルフクラブヘッドのトウ側から見た図である。
【００１２】
【図８】図８は、図１に例示したゴルフクラブヘッドのヒール側から見た図である。
【００１３】
【図９】図９は、図１に例示したゴルフクラブヘッドの例示的なボディ部の底面図である。
【００１４】
【図１０】図１０は、図１に例示したゴルフクラブヘッドの例示的なボディ部の断面図である。
【００１５】
【図１１】図１１は、図１に例示したゴルフクラブヘッドの２つのウェイトポートを示す図である。
【００１６】
【図１２】図１２は、図１に例示したゴルフクラブヘッドの例示的なウェイト部の平面図である。
【００１７】
【図１３】図１３は、図１０に例示したウェイト部の側面図である。
【００１８】
【図１４】図１４は、図１に例示したゴルフクラブヘッドの例示的な打ち出し軌道プロファイルを示す図である。
【００１９】
【図１５】図１５は、例示的なウェイト部の第１のウェイト配置を示す図である。
【００２０】
【図１６】図１６は、例示的なウェイト部の第２のウェイト配置を示す図である。
【００２１】
【図１７】図１７は、例示的なウェイト部の第３のウェイト配置を示す図である。
【００２２】
【図１８】図１８は、例示的なウェイト部の第４のウェイト配置を示す図である。
【００２３】
【図１９】図１９は、図１８に例示したゴルフクラブヘッドの例示的な打ち出し軌道プロファイルを示す図である。
【００２４】
【図２０】図２０は、本明細書に記載のゴルフクラブヘッドを製造する１つの方法を示す図である。
【００２５】
【図２１】図２１は、別の例のゴルフクラブヘッドの底面図である。
【００２６】
【図２２】図２２は、更に別の例のゴルフクラブヘッドの底面図である。
【発明を実施するための形態】
【００２７】
説明の簡素化及び明確化のために、図面は構造を一般的な方法で示し、周知の機能及び技術の説明及び詳細は本開示を不必要に不明瞭にすることを避けるために省略される。また、図面中の要素は必ずしも一定の縮尺では描かれない。例えば、図面中の一部の要素の寸法は、本開示の実施例の理解の改善を助けるために他の要素に対して誇張され得る。
【００２８】
一般に、ゴルフクラブヘッド及びゴルフクラブヘッド製造方法が本明細書に記載される。本明細書に記載の器具、方法、及び製造物は、これに限定されない。
【００２９】
図１〜１３の例では、ゴルフクラブヘッド１００は、ボディ部１１０と、概して第１セットのウェイト部２１０（図２）及び第２セットのウェイト部２２０（図２）として示される、複数のウェイト部１２０とを含んでもよい。ボディ部１１０は、トップ１３０と、ボトム部１４０と、トウ部１５０と、ヒール部１６０と、フロント部１７０と、リア部１８０とを含んでもよい。ボトム部１４０は、フロント部１７０を除くトップ部１３０とボトム部１４０との間に、トウ部１５０からリア部１７０を回ってヒール部１６０に至るゴルフクラブヘッド１００の周囲を横断して設けられる、ゴルフクラブヘッド１００のサイド部として規定されたスカート部１９０を含んでもよい。ボトム部１４０は、トランジション領域２３０とウェイトポート領域２４０とを含んでもよい。例えば、ウェイトポート領域２４０は、Ｄ字状の領域であってもよい。ウェイトポート領域２４０は、複数のウェイト部１２０を受ける複数のウェイトポート９００（図９）を含んでもよい。フロント部１７０は、ゴルフボール（不図示）に対するフェース部１７５を含んでもよい。ボディ部１１０は、シャフト（不図示）を受けるホーゼル部１６５を含んでもよい。あるいは、ボディ部１１０は、ホーゼル部１６５に代えてボアを含んでもよい。例えば、ボディ部１１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部１１０は、部分的に又は完全に、セラミック材料、複合材料、それらの任意の組み合わせ、又は他の適切なタイプの材料のような非金属材料で作製されてもよい。
【００３０】
ゴルフクラブヘッド１００は、３００立方センチメートル（ｃｍ3又はｃｃ）以上のクラブヘッド体積を有してもよい。一例では、ゴルフクラブヘッド１００は、約４６０ｃｃであってもよい。あるいは、ゴルフクラブヘッド１００は、３００ｃｃ以下のクラブヘッド体積を有してもよい。具体的には、ゴルフクラブヘッド１００は、１００ｃｃから２００ｃｃの間のクラブヘッド体積を有してもよい。ゴルフクラブヘッド１００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド１００のクラブヘッド体積を測定するために使用することができる。図１は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【００３１】
概して４０５、４１０、４１５、４２０、４２５、４３０、４３５（図４）として示される、第１セットのウェイト部２１０の各々は、第１質量と関連付けられてもよい。概して４４０、４４５、４５０、４５５、４６０、４６５、４７０、４７５、４８０（図４）として示される、第２セットのウェイト部２２０の各々は、第２質量と関連付けられてもよい。第１質量は、第２質量より大きくてもよく、又はその逆でもよい。一例では、第１セットのウェイト部２１０は、タングステン系材料で作製され得る一方で、第２セットのウェイト部２２０は、アルミニウム系材料で作製され得る。以下に詳細に説明するように、第１セット及び第２セットのウェイト部２１０、２２０は、それぞれ、種々のウェイト配置を提供することができる（例えば、図１５〜１８）。
【００３２】
図９〜１１を参照すると、例えば、ボディ部１１０のボトム部１４０は、複数のウェイトポート９００を含んでもよい。概して９０５、９１０、９１５、９２０、９２５、９３０、９３５、９４０、９４５、９５０、９５５、９６０、９６５、９７０、９７５、９８０として示される、複数のウェイトポート９００は、ボトム部１４０のウェイトポート領域２４０の周縁に沿って配置される。複数のウェイトポート９００は、ボトム部１４０を横断して設けられてもよい。具体的には、複数のウェイトポート９００は、ボトム部１４０を横断して、トウ部１５０とヒール部１６０のそれぞれの間に設けられてもよい。複数のウェイトポート９００はまた、ボトム部１４０を横断して、フロント部１７０とリア部１８０のそれぞれの間に設けられてもよい。複数のウェイトポート９００は、概してＤ字状のループを画定する経路に沿ってボトム部１４０を横断して配置されてもよい。一例では、複数のウェイトポート９００は、ボトム部１４０を横断して、トウ部１５０とヒール部１６０のそれぞれの間の最大トウ−ヒール間距離５００の５０％以上に設けてもよい。ゴルフクラブヘッド１００の最大トウ−ヒール間距離５００は、トウ部１５０とヒール部１６０のそれぞれの間で、トップ部１３０とボトム部１４０のそれぞれの間のトランジション領域から測定されてもよい。あるいは、最大トウ−ヒール間距離５００は、トウ部１５０とヒール部１６０のそれぞれの最外点の垂直投影間の水平距離であってもよい。例えば、最大トウ−ヒール間距離５００は、ゴルフクラブヘッド１００が約６０度のライ角５１０である場合に測定されてもよい。ヒール部１６０の最外点を容易に規定できない場合には、ヒール部１６０の最外点は、接地面５３０（例えば、ゴルフクラブヘッド１００が置かれる水平面）の上の約０．８７５インチ（２２．２３ミリメートル）の高さ５２０に決めてもよい。複数のウェイトポート９００は、ゴルフクラブヘッド１１０の最大トウ−ヒール間クラブヘッド距離５００の５０％以上に設けられてもよい。具体的には、複数のウェイトポート９００は、ゴルフクラブヘッド１１０の最大トウ−ヒール間クラブヘッド距離５００の５０％以上である最大トウ−ヒール間ウェイトポート距離９９５でトウ部１５０とヒール部の間に設けられてもよい。一例では、ゴルフクラブヘッド１１０の最大トウ−ヒール間クラブヘッド距離５００は、５インチ（１２７ミリメートル）以上でなくともよい。したがって、複数のウェイトポート９００は、トウ部１５０とヒール部１６０のそれぞれの間の少なくとも２．５インチのウェイトポート最大トウ−ヒール間ウェイトポート距離に設けられてもよい。最大トウ−ヒール間ウェイトポート距離９９５は、トウ部１５０から最も遠いウェイトポートのヒール側の境界とヒール部１６０から最も遠いウェイトポートのトウ側の境界との間の最大距離であってもよい。図９の例では、ウェイトポート最大トウ−ヒール間ウェイトポート距離９９５は、ウェイトポート９４０のヒール側の境界とウェイトポート９８０のトウ側の境界との間の最大距離であってもよい。例えば、最大トウ−ヒール間ウェイトポート距離９９５は、約３．７インチであってもよい。ゴルフのルールが時々変更される（例えば、ゴルフ標準団体及び／又は運営組織によって、新たな規則が採用され、又は古い規定が撤廃又は修正される）ように、最大トウ−ヒール間クラブヘッド距離５００を測定するためのライ角５１０及び／又は高さ５２０も変更されてもよい。本明細書に記載の器具、方法、及び製造物は、これに限定されない。
【００３３】
複数のウェイトポート９００の各々は、ポート径（Ｄport）（例えば、図１１に１１０５、１１１０として示される）と関連付けられてもよい。例えば、複数のウェイトポート９００の各ウェイトポートのポート径は、約０．３インチ（７．６５ミリメートル）であってもよい。あるいは、隣接するウェイトポートのポート径は、異なってもよい。一例では、ウェイトポート９０５は、ポート径１１０５と関連付けられてもよく、ウェイトポート９１０は、ポート径１１１０と関連付けられてもよい。具体的には、ウェイトポート９０５のポート径１１０５は、ウェイトポート９１０のポート径１１１０より大きくてもよく、又はその逆でもよい。本明細書に記載の器具、方法、及び製造物は、これに限定されない。
【００３４】
ボトム部１４０はまた、外面９９０を含んでもよい。図１０に示すように、例えば、複数のウェイトポート９００は、外面９９０によって形成された外面カーブ１０９０に関してボトム部１４０に形成されてもよい。具体的には、複数のウェイトポート９００の各々は、概して１１０５、１０１０、１０１５として示されるポート軸と関連付けられてもよい。ウェイトポートの中心は、ウェイトポートのポート軸を規定してもよい。各ポート軸は、ポート軸と外面カーブ１０９０との交点で外面カーブ１０９０に接する面に対して垂直又は実質的に垂直であってもよい。一例では、実質的に垂直は、垂直から±５°のずれを指すものでもよい。他の例では、実質的に垂直は、垂直から±３°のずれを指すものでもよい。垂直からのずれは、製造上の公差に依存してもよい。
【００３５】
一例では、ポート軸１０１０は、外面カーブ１０９０の接平面１０１２に対して垂直又は実質的に垂直（すなわち、法線）であってもよい。複数の固定具を、種々の位置でのゴルフクラブヘッド１００の位置調整によって複数のウェイトポート９００を作製するために使用されてもよい。あるいは、ウェイトポートは、複数のウェイトポート９００を形成するために余分な材料を（例えば、水ジェット切断及び／又はレーザー切断による）フライス加工で取り除くよう複数の軸の周りにゴルフクラブヘッドを回転させることができる、多軸加工プロセスによって作製されてもよい。更に、多軸加工プロセスは、フライス工具を表面の周囲に接線方向に移動できるので、適切な表面仕上げを提供することができる。したがって、本明細書に記載の器具、方法、及び製造物は、ボトム部１４０に複数のウェイトポート９００の各々を形成するために多軸加工プロセスを使用してもよい。例えば、５軸フライス盤は、複数のウェイトポート９００の各々のポート軸１０００を外面カーブ１０９０に対して垂直又は実質的に垂直となるように、複数のウェイトポート９００を形成することができる。５軸フライス盤の工具は、外面９９０の外面カーブ１０９０について接線方向に移動されてもよい。
【００３６】
図１１に戻り、例えば、隣接する２つのウェイトポートは、外面カーブ１０９０上の隣接する２つのウェイトポート間の最短距離であるポート距離１１００で離されてもよい。具体的には、ポート距離１１００は、隣接する２つのウェイトポートのうちのいずれかのポート径以下であってもよい。一例では、ウェイトポート９０５、９１０間のポート距離１１００は、ポート径１１０５又はポート径１１１０のいずれか以下であってもよい。本明細書に記載の器具、方法、及び製造物は、これに限定されない。
【００３７】
複数のウェイト部１２０は、類似又は異なる物理的特性（例えば、密度、形状、質量、体積、サイズ、色、等）を有してもよい。一例では、第１セットのウェイト部２１０は、黒色であり得る一方で、第２セットのウェイト部２２０は、灰色又は鋼色であり得る。複数のウェイト部１２０の一部又は全部は、部分的に又は完全に、鋼系材料、タングステン系材料、アルミニウム系材料のような金属材料、それらの任意の組み合わせ又は適切なタイプの材料で作製されてもよい。あるいは、複数のウェイト部１２０の一部又は全部は、部分的に又は完全に、非金属材料（例えば、複合材料、プラスチック、等）で作製されてもよい。
【００３８】
図１２、１３に例を図示するように、複数のウェイト部１２０の各ウェイト部は、円筒形状（例えば、円形の断面）を有してもよい。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。複数のウェイト部１２０の各ウェイト部は、径１２００及び高さ１３００と関連付けられてもよい。一例では、複数のウェイト部１２０の各ウェイト部は、約０．３インチ（７．６２ミリメートル）の径及び約０．２インチ（５．０８ミリメートル）の高さを有してもよい。あるいは、第１及び第２セットのウェイト部２１０、２２０は、それぞれ、幅及び／又は高さが異なってもよい。
【００３９】
他のゴルフクラブヘッドとしてリアからフロントに向かう方向に代えて、複数のウェイト部１２０の各ウェイト部は、ボトムからトップに向かう方向の複数のウェイトポート４００の１つに係合してもよい。複数のウェイト部１２０は、ウェイトポートに固定するためのネジ山を含んでもよい。例えば、複数のウェイト部１２０の各ウェイト部は、ネジであってもよい。複数のウェイト部１２０は、工具有り又は無しでボディ部１１０から容易に取り外し可能でなくともよい。あるいは、複数のウェイト部１２０は、１以上のウェイト部１２０を相対的に重い又は軽いウェイト部にそれぞれ付け替えることができるように、（例えば、工具有りで）容易に取り外し可能であってもよい。別の例では、複数のウェイト部１２０は、複数のウェイト部１２０を容易に取り外しできないように、エポキシ樹脂又は接着剤でボディ部１１０のウェイトポートに固定されてもよい。更に別の例では、複数のウェイト部１２０は、複数のウェイト部１２０を容易に取り外しできないように、エポキシ樹脂及びネジ山の両方でボディ部１１０のウェイトポートに固定されてもよい。本明細書に記載の器具、方法、及び製造物は、これに限定されない。
【００４０】
他のゴルフクラブヘッドとは対照的に、ゴルフクラブヘッド１００は、少なくとも４つの異なるタイプのゴルフスイングに対応することができる。図１４に示すように、例えば、各ウェイト配置は、概して１４１０、１４２０、１４３０として示される、複数の打ち出し軌道プロファイル１４００の１つと関連付けられてもよい。図１５を参照すると、例えば、第１のウェイト配置１５００は、第１セットのウェイトポート１５１０の配置と関連付けられてもよい。第１セットのウェイトポート１５１０は、フロント部１７０又はその近傍（例えば、図９に例示するウェイトポート９０５、９１０、９１５、９２０、９２５、９３０、９３５）に配置されてもよい。第１のウェイト配置１５００では、第１セットのウェイト部は、第１セットのウェイトポート１５１０の配置に従ってフロント部１７０に向かって配置され得る一方で、第２セットのウェイト部は、リア部１８０に向かって配置され得る。具体的には、第１セットのウェイト部は、第１セットのウェイトポート１５１０の配置に従ってフロント部１７０又はその近傍でクラスターを形成してもよい。ウェイト部４０５、４１０、４１５、４２０、４２５、４３０、４３５は、第１セットのウェイト部を規定してもよく、ウェイトポート９０５、９１０、９１５、９２０、９２５、９３０、９３５のそれぞれに配置されてもよい。ウェイト部４４０、４４５、４５０、４５５、４６０、４６５、４７０、４７５、４８０は、第２セットのウェイト部を規定してもよく、ウェイトポート９４０、９４５、９５０、９５５、９６０、９６５、９７０、９７５、９８０のそれぞれに配置されてもよい。第１のウェイト配置１５００は、第１の打ち出し軌道プロファイル１４１０（図１４）と関連付けられてもよい。具体的には、第１のウェイト配置１５００は、ゴルフボールのスピンレートを減少させることができる。第１セットのウェイトポート１５１０の配置に従ってゴルフクラブヘッド１００のフロント部１７０に向かって比較的重いウェイト部（すなわち、第１セットのウェイト部）を配置することで、ゴルフクラブヘッド１００の重心（ＧＣ）を、比較的低い打ち出し及びスピン軌道を提供するように比較的前方及び下方に移動させることができる。その結果、第１の打ち出し軌道プロファイル１４１０は、比較的大きいロール距離（すなわち、地面に衝突した後の距離）と関連付けることができる。上記の例は、特定のウェイトポートにウェイト部を配置する記述であるが、第１セットのウェイト部２１０の任意のウェイト部は、第１セットのウェイトポート１５１０の任意のウェイトポートに配置されてもよい。
【００４１】
図１６に戻り、例えば、第２のウェイト配置１６００は、第２セットのウェイトポート１６１０の配置と関連付けられてもよい。第２セットのウェイトポート１６１０は、リア部（例えば、図９に例示するウェイトポート９４５、９５０、９５５、９６０、９６５、９７０、９７５）又はその近傍に配置されてもよい。図１６に示す第２のウェイト配置１６００では、例えば、第１セットのウェイト部は、リア部１８０に向かって配置され得る一方で、第２セットのウェイト部は、フロント部１７０に向かって配置され得る。具体的には、第１セットのウェイト部は、第２セットのウェイトポート１６１０の配置に従ってリア部１８０又はその近傍でクラスター１６１０を形成してもよい。ウェイト部４０５、４１０、４１５、４２０、４２５、４３０、４３４は、第１セットのウェイト部を規定してもよく、ウェイトポート９４５、９５０、９５５、９６０、９６５、９７０、９７５のそれぞれに配置されてもよい。ウェイト部４４０、４４５、４５０、４５５、４６０、４６５、４７０、４７５、４８０は、第２セットのウェイト部を規定してもよく、ウェイトポート９０５、９１０、９１５、９２０、９２５、９３０、９３５、９４０、９８０のそれぞれに配置されてもよい。第２のウェイト配置１６００は、第２の打ち出し軌道プロファイル１４２０（図１４）と関連付けられてもよい。具体的には、第２のウェイト配置１６００は、ゴルフボールの打ち出し角を増加させ、寛容性を最大にすることができる。第２セットのウェイトポート１６１０の配置に従ってゴルフクラブヘッド１００のリア部１８０に向かって比較的重いウェイト部（すなわち、第１セットのウェイト部）を配置することで、ゴルフクラブヘッド１００の重心（ＧＣ）を、比較的高い打ち出し及びスピン軌道を提供するように比較的後方及び上方に移動させることができる。更に、ゴルフクラブヘッド１００の慣性モーメント（ＭＯＩ）を、水平軸（フロント−バック軸）と垂直軸（トップ−ボトム軸）の両方で増加させることができ、中心を外れた打撃のより高い寛容性を提供することができる。その結果、第２の打ち出し軌道プロファイル１４２０は、比較的大きいキャリー距離（すなわち、空中の距離）と関連付けることができる。
【００４２】
図１７に戻り、例えば、第３のウェイト配置１７００は、第３セットのウェイトポート１７１０の配置と関連付けられてもよい。第３のウェイト配置１７００では、例えば、第１セットのウェイト部は、ヒール部１６０に向かって配置され得る一方で、第２セットのウェイト部は、トウ部１５０に向かって配置され得る。具体的には、第１セットのウェイト部は、第３セットのウェイトポート１７１０の配置に従ってヒール部１６０又はその近傍でウェイト部のクラスターを形成してもよい。ウェイト部４０５、４１０、４１５、４２０、４２５、４３０、４３５は、第１セットのウェイト部を規定してもよく、ウェイトポート９２５、９３０、９３５、９４０、９４５、９５０、９５５のそれぞれに配置されてもよい。ウェイト部４４０、４４５、４５０、４５５、４６０、４６５、４７０、４７５、４８０は、第２セットのウェイト部を規定してもよく、ウェイトポート９０５、９１０、９１５、９２０、９６０、９６５、９７０、９７５、９８０のそれぞれに配置されてもよい。第３のウェイト配置１７００は、第３の打ち出し軌道プロファイル１４３０（図１４）と関連付けられてもよい。具体的には、第３のウェイト配置１７００は、各人がゴルフクラブヘッド１００を比較的容易にターンオーバーすることを可能にすることができる（すなわち、ゴルフボールのインパクトに対してフェース部１７５を整える）。ゴルフクラブヘッド１００のヒール部１６０に向かって比較的重いウェイト部（すなわち、第１セットのウェイト部）を配置することで、ゴルフクラブヘッド１００の重心（ＧＣ）をシャフトの軸の比較的近くに移動させることができる。
【００４３】
図１８に戻り、例えば、第４のウェイト配置１８００は、第４セットのウェイトポート１８１０の配置と関連付けられてもよい。第４のウェイト配置１８００では、例えば、第１セットのウェイト部は、トウ部１５０に向かって配置され得る一方で、第２セットのウェイト部はヒール部１６０に向かって配置され得る。具体的には、第１セットのウェイト部は、第４セットのウェイトポート１８１０の配置に従ってトウ部１５０又はその近傍でウェイト部のクラスターを形成してもよい。ウェイト部４０５、４１０、４１５、４２０、４２５、４３０、４３５は、第１セットのウェイト部を規定してもよく、ウェイトポート９０５、９１０、９１５、９６５、９７０、９７５、９８０のそれぞれに配置されてもよい。ウェイト部４４０、４４５、４５０、４５５、４６０、４６５、４７０、４７５、４８０は、第２セットのウェイト部を規定してもよく、ウェイトポート９２０、９２５、９３０、９３５、９４０、９４５、９５０、９５５、９６０のそれぞれに配置されてもよい。第４のウェイト配置１８００は、第３の打ち出し軌道プロファイル１４３０（図１４）と関連付けられてもよい。具体的には、第４のウェイト配置１８００は、各人がゴルフクラブヘッド１００をターンオーバーすることを妨げるようにしてもよい（すなわち、フェース部１７５をゴルフボールのインパクトに対してよりオープンにする）。ゴルフクラブヘッド１００のトウ部１５０に向かって比較的重いウェイト部（すなわち、第１セットのウェイト部）を配置することで、ゴルフクラブヘッド１００の重心（ＧＣ）をシャフトの軸から比較的遠くに移動させることができる。第４のウェイト配置１８００は、フェードのゴルフショット（図１９に示すように、例えば、右利きの人にとって、ゴルフボールがターゲット１９１０の左に向かって進み、ターゲットの右に向かって戻るように曲がる軌道又はボールの飛行）になることがある。本明細書に記載の器具、方法、及び製造物は、これに限定されない。
【００４４】
図２０は、本明細書に記載のゴルフクラブヘッド１００を製造する１つの方法を示す図である。図２０の例では、プロセス２０００は、複数のウェイト部を供給することで開始され得る（ブロック２０１０）。複数のウェイト部は、第１セットのウェイト部と第２セットのウェイト部を含んでもよい。第１セットのウェイト部の各ウェイト部は、第１の質量と関連付けられ得る一方で、第２セットのウェイト部の各ウェイト部は、第２の質量と関連付けられ得る。第１の質量は、第２の質量より大きくてもよい。一例では、第１セットのウェイト部の各ウェイト部は、２．６グラムの質量のタングステン系材料で作製され得る一方で、第２セットのウェイト部の各ウェイト部は、０．４グラムの質量のアルミニウム系材料で作製され得る。第１セットのウェイト部は、灰色又は鋼色であり得る一方で、第２セットのウェイト部は、黒色であり得る。
【００４５】
プロセス２０００は、ゴルフクラブヘッドのボディ部を供給してもよい（ブロック２０２０）。ボディ部は、フロント部、リア部、トウ部、ヒール部、トップ部、外面カーブと関連付けられた外面を持つボトム部、及びトップ部とボトム部の間のスカート部を含んでもよい。
【００４６】
プロセス２００は、ボトム部及びスカート部又はそれらの近傍に位置するウェイトポート領域を形成してもよい（ブロック２０３０）。トランジション領域は、ウェイトポート領域の周りを囲んでもよい。
【００４７】
プロセス２０００は、ウェイトポート領域の周縁に沿って複数のウェイトポートを形成してもよい（ブロック２０４０）。複数のウェイトポートの各ウェイトポートは、ポート径と関連付けられてもよく、複数のウェイト部の少なくとも１つのウェイト部を受けるよう構成されてもよい。隣接する２つのウェイトポートは、ポート径以下で離されてもよい。更に、複数のウェイトポートの各ウェイトポートは、ポート軸と関連付けられてもよい。ポート軸は、ゴルフクラブヘッドのボトム部の外面カーブの接平面に対して垂直又は実質的に垂直であってもよい。
【００４８】
図２０のプロセス２０００の例は、単に、ゴルフクラブヘッド１００を製造する１つの方法の例を図１〜１９と共に提供し、説明している。アクションの特定の順序を図２０に示しているが、これらのアクションは、他の経時的な順番で実行されてもよい。例えば、図２０に示す２以上のアクションは、連続して、同時に、又は一斉に実行されてもよい。図２０は特定の数のブロックを示すが、プロセスは、１以上のブロックを実行しなくてもよい。本明細書に記載の器具、方法、及び製造物は、これに限定されない。
【００４９】
上記の例に示すように、複数のウェイト部１２０及び複数のウェイトポート９００は、概して図４に４９０、９９５として示すように、２つの弧で形成された概してＤ字状のループを画定する経路に沿ってウェイトポート領域２４０の周縁に配置されてもよい。例えば、ウェイト部４０５、４１０、４１５、４２０、４２５、４３０、４３５（図４）、及び、ウェイトポート９０５、９１０、９１５、９２０、９２５、９３０、９３５（図９）は、第１の弧４９０を形成してもよい。具体的には、第１の弧４９０は、頭部１５０とヒール部１６０のそれぞれの間に、ボトム部１４０を横断して設けられてもよい。ウェイト部４４０、４４５、４５０、４５５、４６０、４６５、４７０、４７５、４８０（図４）、及び、ウェイトポート９４０、９４５、９５０、９５５、９６０、９６５、９７０、９８０（図９）は、第２の弧４９５を形成してもよい。第２の弧４９５は、概してボディ部１１０のリア部１８０の輪郭に従ってもよい。あるいは、第１及び第２の弧４９０、４９５は、ボトム部１４０を横断して設けられる他の形状のループを画定してもよい（例えば、概してＯ字状のループ）。本明細書に記載の器具、方法、及び製造物は、これに限定されない。
【００５０】
上記の例は、特定の幾何学的形状に形成された複数のウェイト部１２０及び複数のウェイトポート９００を記載するが、本明細書に記載の器具、方法、および製造物は、他の幾何学的形状に形成されたウェイト部領域の周縁に沿って設けられたウェイト部及びウェイトポートを有してもよい。図２１に戻り、例えば、ゴルフクラブヘッド２１００は、ボトム部２１１０と、複数のウェイトポート２１３０に配置された複数のウェイト部２１２０とを含んでもよい。複数のウェイトポート２１３０は、ボトム部２１１０のウェイトポート領域２１４０の周縁に沿って配置されてもよい（すなわち、複数のウェイトポート２１３０は、トウ部２１１２とヒール部２１１４のそれぞれの間にボトム部２１１０を横断して設けられてもよい）。複数のウェイト部１２０及び複数のウェイトポート９００（例えば、図４、９）とは対照的に、複数のウェイトポート２１３０は、ボトム部２１１０を横断して設けられる、概して２１５０、２１５５として示される、２つの別々の弧を形成してもよい。
【００５１】
第１の弧２１５０は、トウ部２１１２とヒール部２１１４との間に設けられてもよい。第１の弧２１５０は、ゴルフクラブヘッド２１００のフロント部２１７０に向かってカーブしてもよい（すなわち、フロント部２１７０に関連して凹状である）。図２１の例によれば、第１の弧２１５０は、トウ部２１１２の近傍の領域からフロント部２１７０の近傍の領域、及び、フロント部２１７０の近傍の領域からヒール部２１１４の近傍の領域に設けられてもよい（すなわち、フロント部２１７０に関連して凹状である）。したがって、第１の弧２１５０は、トウ部２１１２とヒール部２１１４との間に延びる、ゴルフクラブヘッド２１１０のリア部２１８０に向くＣ字型の弧のように見えてもよい。第２の弧２１５５もまた、トウ部２１１２とヒール部２１１４との間に設けられてもよい。第２の弧２１５５は、ゴルフクラブヘッド２１００のリア部２１８０に向かってカーブしてもよい（すなわち、リア部２１８０に関連して凹状である）。したがって、第２の弧２１５５は、トウ部２１１２とヒール部２１１４との間に延びる、ゴルフクラブヘッド２１１０のフロント部２１７０に向くＣ字型の弧のように見えてもよい。更に、第１の弧２１５０は、第２の弧２１５５よりフロント部２１７０に近くてもよい。第１の弧２１５０と第２の弧２１５５は、第１の弧２１５０と第２の弧２１５５のそれぞれがボトム部２１１０の周縁に沿って離れて設けられるように、別々であってもよい。したがって、ボトム部２１１０は、第１の弧２１５０のウェイトポート２１３０と第２の弧２１５５のウェイトポート２１３０との間でボトム部２１１０の周縁に沿ったギャップ２１９０、２１９２を含んでもよい。ギャップ２１９０及び／又は２１９２は、ギャップ２１９０及び／又は２１９２に隣接するウェイトポート２１３０のようなウェイトポート２１３０のいずれかのポート径以上であってもよい。図２１に示す一例によれば、ギャップ２１９０、２１９２は、ギャップ２１９０、２１９２に隣接するウェイトポート２１３０の直径より桁違いに大きくてもよい。本明細書に記載の器具、方法、及び製造物は、これに限定されない。
【００５２】
図２１を参照すると、例えば、第１の弧２１５０は、特定のゴルフクラブヘッド（例えば、フェアウェイウッド型ゴルフクラブヘッド及び／又はハイブリッド型ゴルフクラブヘッド）に適するように、第２の弧２１５５より多くのウェイトポート２１３０を含んでもよい。あるいは、第２の弧２１５５は、第１の弧２１５０と同じ又はより多くのウェイトポート２１３０を含んでもよい。第１の弧２１５０及び第２の弧２１５５内の各々のウェイトポート２１３０の数、各ウェイトポート２１３０と関連付けられたウェイト部２１２０、隣接するウェイトポート２１３０間の間隔は、ゴルフクラブのタイプ、ゴルフクラブヘッド２１１０の好ましい重量分布、及び／又はゴルフクラブヘッド２１１０の重心位置に基づいて決定されてもよい。
【００５３】
第１の弧２１５０及び／又は第２の弧２１５５のウェイトポート２１３０は、第１の弧２１５０及び／又は第２の弧２１５５のそれぞれに沿って同じ又は略同じ距離で互いに離されてもよい。第１の弧２１５０や第２の弧２１５５のウェイトポート２１３０間、又は、本明細書に記載された任意のウェイトポート間の間隔の変化は、製造精度に関連する製造公差及び／又は費用対効果などの、異なる製造上の検討事項に起因してもよい。例えば、第１の弧２１５０及び／又は第２の弧２１５５のウェイトポート２１３０間の間隔の変化は、１／１６インチから０．００１インチの間であってもよい。本明細書で説明するように、隣接するウェイトポート２１３０間の距離（すなわち、ポート距離）は、隣接する２つのウェイトポートのいずれかのポート径以下であってもよい。複数のウェイトポート２１３０は、ゴルフクラブヘッド２１００の最大トウ−ヒール間クラブヘッド距離２１９５の５０％以上である最大トウ−ヒール間ウェイトポート距離でトウ部２１１２とヒール部２１１４との間に設けられてもよい。最大トウ−ヒール間ウェイトポート距離は、トウ部２１１２から最も遠いウェイトポートのヒール側の境界とヒール部２１１４から最も遠いウェイトポートのトウ側の境界との間の最大距離であってもよい。
【００５４】
具体的には、ゴルフクラブヘッド２１００は、４３０ｃｃ未満の体積を有してもよい。例えば、ゴルフクラブヘッド２１００は、１００ｃｃから４００ｃｃの範囲の体積を有してもよい。別の例では、ゴルフクラブヘッド２１００は、１５０ｃｃから３５０ｃｃの範囲の体積を有してもよい。更に別の例では、ゴルフクラブヘッド２１００は、２００ｃｃから３００ｃｃの範囲の体積を有してもよい。ゴルフクラブヘッド２１００は、１００グラムから３５０グラムの範囲の質量を有してもよい。別の例では、ゴルフクラブヘッド２１００は、１５０グラムから３００グラムの範囲の質量を有してもよい。更に別の例では、ゴルフクラブヘッド２１００は、２００グラムから２５０グラムの範囲の質量を有してもよい。ゴルフクラブヘッド２１００は、１０°から３０°の範囲のロフト角を有してもよい。別の例では、ゴルフクラブヘッド２１００は、１３°から２７°の範囲のロフト角を有してもよい。例えば、ゴルフクラブヘッド２１００は、フェアウェイウッド型ゴルフクラブヘッドであってもよい。あるいは、ゴルフクラブヘッド２１００は、小さめのドライバー型ゴルフクラブヘッドであってもよい（例えば、フェアウェイウッド型ゴルフクラブヘッドより大きいがドライバー型ゴルフクラブヘッドより小さい）。本明細書に記載の器具、方法、及び製造物は、これに限定されない。
【００５５】
図２２に示すように、例えば、ゴルフクラブヘッド２２００は、ボトム部２２１０と、複数のウェイトポート２２３０に配置された複数のウェイト部２２２０とを含んでもよい。ウェイトポート領域２２４０の周縁に沿って配置された複数のウェイトポート２２３０は、ボトム部２２１０を横断して延びる、概して２２５０として示される、弧を画定する経路に沿って配置されてもよい（すなわち、複数のウェイトポート２２３０は、ボトム部２２１０を横断してトウ部２２１２とヒール部２２１４のそれぞれの間に設けられてもよい）。弧２２５０は、ゴルフクラブヘッド２２００のリア部２２８０に向かってカーブしてもよい（すなわち、リア部２２８０に関連して凹状である）。図２２の例によれば、弧２２５０は、トウ部２２１２の近傍の領域からリア部２２８０の近傍の領域、及び、リア部２２８０の近傍の領域からヒール部２２１４の近傍の領域に設けられてもよい（すなわち、リア部２２８０に関連して凹状である）。したがって、弧２２５０は、ヒール部２２１４の近くからトウ部２２１２の近くに延びる、ゴルフクラブヘッド２２１０のフロント部２２７０に向くＣ字型の弧のように見えてもよい。更に、弧２２５０の曲率は、ゴルフクラブヘッド２２１０のリア部２２８０の輪郭と実質的に同様であってもよく、又は概ね従ってもよい。弧２２５０内のウェイトポート２２３０の数、各ウェイトポート２２３０と関連付けられたウェイト部２２２０、隣接するウェイトポート２２３０間の間隔は、ゴルフクラブのタイプ、ゴルフクラブヘッド２２１０の好ましい重量分布、及び／又はゴルフクラブヘッド２２１０の重心位置に基づいて決定されてもよい。
【００５６】
弧２２５０のウェイトポート２２３０は、弧２２５０に沿って同じ又は略同じ距離で互いに離されてもよい（例えば、ウェイトポート２２３０は、実質的に同様な間隔で互いに離されてもよい）。弧２２５０のウェイトポート２２３０間、又は、本明細書に記載された任意のウェイトポート間の間隔の変化は、製造精度に関連する製造公差及び／又は費用対効果などの、異なる製造上の検討事項に起因してもよい。例えば、弧２２５０のウェイトポート２２３０間の間隔の変化は、１／１６インチから０．００１インチの間であってもよい。本明細書で説明するように、隣接するウェイトポート２２３０間の距離（すなわち、ポート距離）は、隣接する２つのウェイトポートのいずれかのポート径以下であってもよい。複数のウェイトポート２２３０は、ゴルフクラブヘッド２２００の最大トウ−ヒール間クラブヘッド距離２２９０の５０％以上である最大トウ−ヒール間ウェイトポート距離でトウ部２２１２とヒール部２２１４との間に設けられてもよい。最大トウ−ヒール間ウェイトポート距離は、トウ部２２１２から最も遠いウェイトポートのヒール側の境界とヒール部２２１４から最も遠いウェイトポートのトウ側の境界との間の最大距離であってもよい。
【００５７】
具体的には、ゴルフクラブヘッド２２００は、２００ｃｃ未満の体積を有してもよい。例えば、ゴルフクラブヘッド２２００は、５０ｃｃから１５０ｃｃの範囲の体積を有してよい。別の例では、ゴルフクラブヘッド２２００は、６０ｃｃから１２０ｃｃの範囲の体積を有してもよい。更に別の例では、ゴルフクラブヘッド２２００は、７０ｃｃから１００ｃｃの範囲の体積を有してもよい。ゴルフクラブヘッド２２００は、１８０グラムから２７５グラムの範囲の質量を有してもよい。別の例では、ゴルフクラブヘッド２２００は、２００グラムから２５０グラムの範囲の質量を有してもよい。ゴルフクラブヘッド２２００は、１５°から３５°の範囲のロフト角を有してもよい。別の例では、ゴルフクラブヘッド２２００は、１７°から３３°の範囲のロフト角を有してもよい。例えば、ゴルフクラブヘッド２２００は、ハイブリッド型ゴルフクラブヘッドであってもよい。本明細書に記載の器具、方法、及び製造物は、これに限定されない。
【００５８】
本明細書に記載の器具、方法、及び製造物は、種々の実施形態で実現することができ、これらの実施形態のいくつかの前述した説明は、必ずしも全ての可能な実施形態の完全な説明を表すものではない。代わりに、図面の説明、及び図面自体は、少なくとも１つの実施例を開示し、及び代替の実施形態を開示してもよい。
【００５９】
ゴルフのルールが時々変更されるように（例えば、ゴルフ標準団体及び／又はＵＳＧＡ、Ｒ＆Ａ、等のような運営組織によって、新しい規則が採択されてもよく又は古い規則が撤廃又は変更されてもよい）、本明細書に記載の器具、方法、及び製造物に関連するゴルフ用品は、任意の特定の時点のゴルフのルールに適合しても適合しなくてもよい。従って、本明細書に記載の器具、方法、及び製造物に関連するゴルフ用品は、適合又は不適合のゴルフ用品として宣伝され、売りに出され、及び／又は販売されてもよい。本明細書に記載の器具、方法、及び製造物は、これに限定されない。
【００６０】
更に、上記の例はゴルフクラブヘッドについて説明され得るが、本明細書に記載の器具、方法、及び製造物は、釣り竿、ホッケーのスティック、スキーのポール、テニスのラケット、等の他の適切なタイプのスポーツ用品に適用することができる。
【００６１】
器具、方法、及び製造物の特定の例を本明細書で説明したが、本開示の対象領域はこれに限定されない。これに対し、本開示は、添付の特許請求の範囲又は均等論の領域内に公正に入る全ての器具、方法、及び製造物をカバーする。
【図１】
0006262884.tif 000002
【図２】
0006262884.tif 000003
【図３】
0006262884.tif 000004
【図４】
0006262884.tif 000005
【図５】
0006262884.tif 000006
【図６】
0006262884.tif 000007
【図７】
0006262884.tif 000008
【図８】
0006262884.tif 000009
【図９】
0006262884.tif 000010
【図１０】
0006262884.tif 000011
【図１１】
0006262884.tif 000012
【図１２】
0006262884.tif 000013
【図１３】
0006262884.tif 000014
【図１４】
0006262884.tif 000015
【図１５】
0006262884.tif 000016
【図１６】
0006262884.tif 000017
【図１７】
0006262884.tif 000018
【図１８】
0006262884.tif 000019
【図１９】
0006262884.tif 000020
【図２０】
0006262884.tif 000021
【図２１】
0006262884.tif 000022
【図２２】
0006262884.tif 000023